(57)【要約】【課題】結露水を受ける部材を容易に取り外し可能な温調装置を提供する。【解決手段】空調対象空間に配された流路部材１１に冷却された熱媒水を流して、空調対象空間の冷房を行う温調装置１０において、基準位置に配されて、流路部材１１の表面に生じた結露水を受ける水受けユニット１２と、水受けユニット１２が掛け止められる支持部材２１、２２とを備え、水受けユニット１２は、基準位置から平行移動することによって、支持部材２１、２２から取り外される。【選択図】図１
2020079661.tif 000002
【特許請求の範囲】
【請求項１】
空調対象空間に配された流路部材に冷却された熱媒水を流して、該空調対象空間の冷房を行う温調装置において、
基準位置に配されて、前記流路部材の表面に生じた結露水を受ける水受けユニットと、前記水受けユニットが掛け止められる支持部材とを備え、前記水受けユニットは、前記基準位置から平行移動することによって、前記支持部材から取り外されることを特徴とする温調装置。
【請求項２】
請求項１記載の温調装置において、前記支持部材に密着して該支持部材を貫通した状態で、該支持部材より高い位置で前記流路部材に下側から連結された接続体を更に備え、前記支持部材は、前記接続体を伝って下降する前記流路部材の表面からの前記結露水を受ける受け皿部、及び、該受け皿部から前記水受けユニットに前記結露水を案内するガイド部を有することを特徴とする温調装置。
【請求項３】
請求項２記載の温調装置において、前記接続体及び前記支持部材は、それぞれ２つ設けられ、前記水受けユニットは、前記基準位置に配された状態で、平面視して、前記２つの接続体の間に位置し、該２つの接続体を通る仮想直線に対し直交する方向に平行移動することを特徴とする温調装置。
【請求項４】
請求項３記載の温調装置において、一方の前記接続体は、前記流路部材に前記熱媒水を送る送入管であり、他方の前記接続体は、前記流路部材から前記熱媒水が送られる送出管であることを特徴とする温調装置。
【請求項５】
請求項３又は４記載の温調装置において、前記流路部材は、それぞれ前記熱媒水が上下方向に流れる複数の流路部と、平行配置された前記複数の流路部に下方から連結された水平連結部とを具備し、前記水平連結部の下方には、前記水平連結部から落下する前記結露水を受けて、少なくとも一方の前記支持部材の前記受け皿部に送る案内部材が設けられていることを特徴とする温調装置。
【請求項６】
請求項１〜５のいずれか１項に記載の温調装置において、前記水受けユニットには、該水受けユニットが前記基準位置に配された状態で、前記水受けユニットから流れ出る前記結露水を外部に送る排水管の開口部の上方位置に、前記結露水を排出する排出部が形成されていることを特徴とする温調装置。
【発明の詳細な説明】
【技術分野】
【０００１】
本発明は、室内の温度を調整する温調装置に関する。
【背景技術】
【０００２】
従来、室内の温度調整には、室外機に冷媒循環回路を介して接続された室内機が室内空気を取り込んで冷媒と熱交換して加熱又は冷却し室内空間に吹き出す、所謂エアコンや、ヒートポンプサイクル等を用いて加熱又は冷却した熱媒水を室内に設置された流路部材に流して室内を温度調整する温調装置（特許文献１参照）が使用されている。この温調装置は、冷房運転時及び暖房運転時にエアコンのように風を発生させる必要がなく、作動時の音が静かという特徴がある。
【先行技術文献】
【特許文献】
【０００３】
【特許文献１】特開２０１４−４７９６０号公報
【発明の概要】
【発明が解決しようとする課題】
【０００４】
ところで、上記温調装置は、冷房運転時に流路部材表面に結露が生じることがあり、結露水を受ける部材や結露水を外部に排出する機構等が必要となる。結露水を受ける部材には、結露水と共に埃等が溜まることから、定期的に水洗い等を行って清潔に保つのが好ましい。
しかしながら、従来、結露水を受ける部材は取り外しが容易でないという課題があった。
本発明は、かかる事情に鑑みてなされたもので、結露水を受ける部材の取り外しが容易な温調装置を提供することを目的とする。
【課題を解決するための手段】
【０００５】
前記目的に沿う本発明に係る温調装置は、空調対象空間に配された流路部材に冷却された熱媒水を流して、該空調対象空間の冷房を行う温調装置において、基準位置に配されて、前記流路部材の表面に生じた結露水を受ける水受けユニットと、前記水受けユニットが掛け止められる支持部材とを備え、前記水受けユニットは、前記基準位置から平行移動することによって、前記支持部材から取り外される。
【発明の効果】
【０００６】
本発明に係る温調装置は、基準位置に配されて、流路部材の表面に生じた結露水を受ける水受けユニットと、水受けユニットが掛け止められる支持部材とを備え、水受けユニットは、基準位置から平行移動することによって、支持部材から取り外されるので、結露水を受ける水受けユニットを容易に取り外し可能である。
【図面の簡単な説明】
【０００７】
【図１】本発明の一実施の形態に係る温調装置の正面図である。
【図２】水受けユニットが支持部材に掛け止められている状態を示す説明図である。
【図３】（Ａ）は、水受けユニットが基準位置に配されている様子を示す説明図であり、（Ｂ）は、水受けユニットが基準位置から平行移動した様子を示す説明図である。
【図４】水受けユニットが平行移動する様子を示す説明図である。
【発明を実施するための形態】
【０００８】
続いて、添付した図面を参照しつつ、本発明を具体化した実施の形態につき説明し、本発明の理解に供する。
図１に示すように、本発明の一実施の形態に係る温調装置１０は、空調対象空間に配された流路部材１１に冷却された熱媒水を流して、空調対象空間の冷房を行う装置であり、流路部材１１の表面に生じた結露水を受ける水受けユニット１２と、水受けユニット１２から流れ出る結露水を外部に送る排水管１３とを備えている。以下、詳細に説明する。
【０００９】
温調装置１０が有する流路部材１１は、図１に示すように、それぞれ直線状で鉛直方向に配された複数の流路部１４と、複数の流路部１４の上端に上方から連結された水平連結部１５と、複数の流路部１４の下端に下方から連結された水平連結部１６を具備している。複数の流路部１４は同じ高さ位置で左右方向に等間隔で配置されている（即ち、平行配置されている）。水平連結部１５、１６はそれぞれ左右方向に長く、水平連結部１６の右側（長手方向一方側）には水平連結部１６に熱媒水（例えば、水や不凍液）を送る送入管１７が接続され、水平連結部１６の左側（長手方向他方側）には水平連結部１６から熱媒水が送られる送出管１８が接続されている。
【００１０】
送入管１７及び送出管１８はそれぞれ、断面円形で鉛直方向に長く、接続体の一例である。よって、本実施の形態では、２つの接続体が水平連結部１６（即ち、流路部材１１）の両側下部に下側から連結されている。
送入管１７及び送出管１８にはそれぞれ下方から液管１９の両端が連結されている。液管１９に設けられた図示しないポンプの作動によって液管１９から送入管１７を通って水平連結部１６に熱媒水が流入し、その熱媒水は、右端から３つの流路部１４を上方に流れて水平連結部１５に流入した後、右から４つ目の流路部１４から左端までの流路部１４を下方に流れ、水平連結部１６及び送出管１８を通って液管１９に送られる。よって、各流路部１４には熱媒水が上下方向に流れることとなる。
【００１１】
熱媒水は、液管１９を流れ、図示しないヒートポンプ機構によって冷却された後、再び、液管１９から送入管１７を通って水平連結部１６に流入する。流路部材１１は対象空間（例えば、室内空間）に配置されており、冷却された熱媒水は複数の流路部１４を流れる際に吸熱して空調対象空間を冷却する。
本実施の形態では、温調装置１０が液管１９、ポンプ及びヒートポンプ機構を有して構成され輻射によって空調対象空間を冷房する。
【００１２】
冷却された熱媒水が各流路部１４を流れる際、空調対象空間の湿度と温度等の関係により流路部１４の表面が結露して、結露水が発生する。そこで、温調装置１０は、水平連結部１６の下方で結露水を受ける案内部材２０と、結露水を受ける左右方向に長い水受けユニット１２と、水受けユニット１２を支持する支持部材２１、２２と、排水管１３を具備している。
【００１３】
案内部材２０は、図１、図２に示すように、左右方向に長く、水平連結部１６の下方で送入管１７及び送出管１８の間に配置されている。案内部材２０には、図２に示すように、水平配置された板状の底部２３、底部２３の前後（幅方向両側）にそれぞれ連結された側壁部２４、２５が設けられている。底部２３には複数の貫通孔が形成されており、案内部材２０は、各流路部１４の表面を伝って水平連結部１６の表面に達し水平連結部１６の表面から落下する結露水を受け、その結露水を、底部２３の貫通孔から落下させるか、左端及び右端（長手方向両端）から排水する。
【００１４】
支持部材２１、２２は、図１に示すように、同一高さで左右方向に間隔を空けて対向配置されている。
支持部材２２は、図２、図３（Ａ）、（Ｂ）に示すように、案内部材２０の右端（長手方向一方端）の直下に配された水平部２６と、水平部２６の前側、後側及び右側に下端が連結された平面視してコの字状の側壁部２７と、水平部２６の左側に連結された係止部２８を具備している。係止部２８は、鉛直配置された板材の下半分を右側に９０°折り曲げた形状（正面視してＬ字状）であり、上端が水平部２６の左端に連結されている。送入管１７は、水平部２６に密着して水平部２６を貫通した状態で、支持部材２２より高い位置で水平連結部１６に連結されている。
【００１５】
支持部材２１も、図１に示すように、案内部材２０の左端（長手方向他方端）の直下に配された水平部と、水平部の前側、後側及び左側に下端が連結された側壁部２９と、当該水平部の右側に連結された係止部３０を有している。送出管１８は、支持部材２１の水平部に密着して当該水平部を貫通した状態で、支持部材２１より高い位置で水平連結部１６に連結されている。
なお、支持部材２１と支持部材２２とは左右対称に設計されていることから、支持部材２１の各部の詳細の説明は省略する。
【００１６】
案内部材２０の直下に配された水受けユニット１２は、図１、図２に示すように、左右方向に長く、左下がりに傾斜している底板３２と、底板３２の上側空間を前後左右から囲む側壁部３３と、側壁部３３の左端に連結された係止部３４と、側壁部３３の右端に連結された係止部３５を備えている。係止部３５は、鉛直方向に配置した板材の上半分を左に９０°折り曲げた形状（正面視して逆Ｌ字状）を有し、係止部３４は、係止部３５に対し左右対称であり、上半分が右に９０°折り曲げられて水平状態となっている。
【００１７】
水受けユニット１２は、図１、図２、図３（Ａ）に示すように、支持部材２１の係止部３０の左に９０°折り曲げられて水平状態となった下半分の領域に、係止部３４の水平配置された上半分の領域を載せ、支持部材２２の係止部２８の右に９０°折り曲げられて水平状態となった下半分の領域に、係止部３５の水平配値された上半分を載せた状態で、支持部材２１、２２に掛け留められ、基準位置Ｐ（図３（Ａ）、図４参照）に配される。
【００１８】
水受けユニット１２は、基準位置Ｐに配された状態で、平面視して、図１、図４に示すように、送入管１７及び送出管１８の間に位置する。水受けユニット１２の底板３２の左側には、水受けユニット１２が基準位置Ｐに配された状態で、排水管１３の開口部（結露水の流入口）の上方位置に、底板３２上に存在する結露水を排出する排出部３６が形成されている。
【００１９】
上述した、水受けユニット１２、送入管１７、送出管１８、案内部材２０及び支持部材２１、２２の設計から、各流路部１４の表面を伝って水平連結部１６の表面に達し水平連結部１６の表面から案内部材２０に落下した結露水は、案内部材２０の底部２３の貫通孔から水受けユニット１２内に落下するか、案内部材２０の左側から支持部材２１の水平部に落下するか、案内部材２０の右側から支持部材２２の水平部２６に落下する。更に、各流路部１４の表面から水平連結部１６の表面を通り送出管１８及び送入管１７に達した結露水は、送出管１８に達した結露水が、送出管１８の表面を伝って下降し支持部材２１の水平部に落下し、送入管１７に達した結露水が、送入管１７の表面を伝って下降し支持部材２２の水平部２６に落下する。
【００２０】
そして、案内部材２０の左端又は送出管１８から支持部材２１の水平部に落下した結露水は、係止部３０、３４を伝って水受けユニット１２の底板３２上の左端側に達して、排出部３６から排水管１３内に流入する。一方、案内部材２０の右端又は送入管１７から支持部材２２の水平部２６に落下した結露水は、係止部２８、３５を伝って水受けユニット１２の底板３２上の右端側に達して左に流れ、排出部３６から排水管１３内に流入する。
【００２１】
案内部材２０の底部２３の貫通孔から水受けユニット１２内に落下した結露水も排出部３６に向かって進み排出部３６から排水管１３内に流入する。
本実施の形態では、水受けユニット１２の底板３２が左下がりに傾斜しているが、水受けユニットの底板は排出部に結露水を流す（案内する）ように、排出部に向かって下がるように傾斜していればよく、左下がりに傾斜している必要はない。
【００２２】
本実施の形態では、送出管１８を伝って下降する各流路部１４の表面からの結露水を受ける受け皿部が、支持部材２１の水平部及び側壁部２９によって形成され、当該受け皿部から水受けユニット１２に結露水を案内するガイド部が係止部３０によって形成されている。そして、送入管１７を伝って下降する各流路部１４の表面からの結露水を受ける受け皿部が、支持部材２２の水平部２６及び側壁部２７によって形成され、当該受け皿部から水受けユニット１２に結露水を案内するガイド部が係止部２８によって形成されている。
従って、案内部材２０は、支持部材２１の受け皿部及び支持部材２２の受け皿部の少なくとも一方に（本実施の形態では、双方に）、案内部材２０が受けた結露水を送ることとなる。
【００２３】
また、温調装置１０の利用者は、水受けユニット１２を、図３（Ａ）、（Ｂ）、図４に示すように、基準位置Ｐから前方に平行移動させ、係止部３０から係止部３４が離れ、係止部２８から係止部３５が離れた状態にすることによって、支持部材２１、２２から水受けユニット１２を取り外し、水受けユニット１２内の汚れを水洗い等することが可能である。従って、水受けユニット１２は、図４に示すように、平面視して、送入管１７及び送出管１８を通る仮想直線Ｑに対し実質的に直交する方向（例えば、８５°〜９５°）に平行移動することとなる。
そして、水洗い後、水受けユニット１２を後方に平行移動させて、係止部３４が係止部３０に掛け止められ、係止部３５が係止部２８に掛け止められた状態にすることによって、水受けユニット１２を基準位置Ｐに戻すことができる。
【００２４】
なお、流路部材１１及び支持部材２１、２２は、図１、図３（Ａ）、（Ｂ）に示すように、基礎ボード３７に螺子部材等によって固定されている。水平連結部１５及び各流路部１４の上端部はカバー体３８によって覆われ、水平連結部１６及び各流路部１４の下端部、水受けユニット１２、送入管１７、送出管１８、案内部材２０、支持部材２１、２２、排水管１３の上端部及び液管１９の両端部はカバー体３９によって覆われている。
【００２５】
以上、本発明の実施の形態を説明したが、本発明は、上記した形態に限定されるものでなく、要旨を逸脱しない条件の変更等は全て本発明の適用範囲である。
例えば、水受けユニットが左又は右あるいは後方に平行移動して支持部材から取り外せるように、水受けユニットや支持部材等を設計してもよい。
また、接続体は、熱媒水が流れる送入管や送出管である必要は無く、流路部材を支持する、熱媒水が流れない支持体であってもよい。接続体が支持体である場合、流路部材には接続体に該当しない送入管及び送出管が連結されていることとなる。
【００２６】
そして、接続体は１つであっても、３つ以上であってもよく、接続体は設けないようにしてもよい。更に、流路部は複数存在する必要はなく、１つであってもよいし、流路部は直線状でなくてもよい。
また、ヒートポンプの代わりに、燃焼ガスを発生させる加熱機を用いて、液管を流れる熱媒水を冷却してもよい。そして、温調装置は空調対象空間の冷房だけでなく、冷房に加えて暖房を行えるものであってもよい。
水受けユニットの近傍に水受けユニットの排出部から流れ出た結露水を排水管に案内する部材を設けてもよい。
更に、案内部材は必ずしも設ける必要はない。
【符号の説明】
【００２７】
１０：温調装置、１１：流路部材、１２：水受けユニット、１３：排水管、１４：流路部、１５、１６：水平連結部、１７：送入管、１８：送出管、１９：液管、２０：案内部材、２１、２２：支持部材、２３：底部、２４、２５：側壁部、２６：水平部、２７：側壁部、２８：係止部、２９：側壁部、３０：係止部、３２：底板、３３：側壁部、３４、３５：係止部、３６：排出部、３７：基礎ボード、３８、３９：カバー体、Ｐ：基準位置、Ｑ：仮想直線
【図１】
2020079661.tif 000003
【図２】
2020079661.tif 000004
【図３】
2020079661.tif 000005
【図４】
2020079661.tif 000006